(57)【要約】【課題】プロテクタ本体の側壁の倒れを防止し、併せて係止枠（係止受部）の補強を図ることにより、ワイヤハーネスの挿通作業性及びプロテクタカバーの取付作業性を高めることができ、また係止の信頼性を向上することができるハーネスプロテクタを提供する。【解決手段】プロテクタ本体１２に、底壁１４と側壁１５，１６の交差部１８から側壁１５，１６の立ち上がる方向に延在し、かつ係止受部２４に連なる側壁補強リブ３５を設ける。係止受部２４を、一対の脚部２４ａ，２４ａと、一対の脚部２４ａ，２４ａを繋ぐ係止部２４ｂとにより枠状に形成し、側壁補強リブ３５を、一対の脚部２４ａ，２４ａの一方又は双方の延長部とする。側壁補強リブ３５をプロテクタ本体１２の側壁１５，１６に突設された車体取付部３０に連ねる。【選択図】　　　図１
2004135451.tif 000002
【特許請求の範囲】
【請求項１】
底壁と両側の側壁とでなす空間にワイヤハーネスを挿通させるプロテクタ本体と、該プロテクタ本体に合体するプロテクタカバーとを備え、該プロテクタ本体の該側壁に係止受部を有し、該プロテクタカバーの端部に該係止受部と係合する差込片を有するハーネスプロテクタにおいて、
前記プロテクタ本体に、前記底壁と前記側壁の交差部から該側壁の立ち上がる方向に延在し、かつ前記係止受部に連なる側壁補強リブが設けられたことを特徴とするハーネスプロテクタ。
【請求項２】
前記係止受部が、一対の脚部と、該一対の脚部を繋ぐ係止部とにより枠状に形成されていて、前記側壁補強リブが、該一対の脚部の一方又は双方の延長部とされたことを特徴とする請求項１記載のハーネスプロテクタ。
【請求項３】
前記側壁補強リブが、前記プロテクタ本体の側壁に突設された車体取付部に連なっていることを特徴とする請求項１又は２記載のハーネスプロテクタ。
【発明の詳細な説明】
【０００１】
【発明の属する技術分野】
本発明は、プロテクタ本体とプロテクタカバーとでワイヤハーネスを保護するハーネスプロテクタに関するものである。
【０００２】
【従来の技術】
周知のように、ハーネスプロテクタは、自動車などの車体に沿って配索されるワイヤハーネスを保護するための保護部品である。ハーネスプロテクタは、ワイヤハーネスの配索形態に応じた形状に成形されているのが一般的であり、湾曲したものや、真っ直ぐのものなど種々の形状のものが広く提供されている。
【０００３】
このようなハーネスプロテクタの一例として、図５に示すものが知られている（例えば、特許文献１）。ハーネスプロテクタ６０は、ワイヤハーネスが挿通されるプロテクタ本体６２と、このプロテクタ本体６２に合体してその上部開口を閉止するプロテクタカバー７０とからなっている。プロテクタカバー７０は、平板状を成していて、上壁７１両側の縁壁７２を下方に湾曲させている。両側の縁壁７２には、一対の係止片７３，７３が一体的に垂設されていて、それぞれの係止片７３には垂直係止面７５ａを有する係止突起７５が外向きに突設されている。
【０００４】
プロテクタ本体６２は、底壁６３と底壁６３の両側から同方向に立ち上がる一対の側壁６４，６４とにより断面視略Ｕ字状に形成されている。側壁６４，６４の外面には一対の係止枠６７，６７が形成されている。この係止枠６７と側壁６４，６４とで囲まれる枠内に、プロテクタカバー７０の係止片７３が挿入され、係止突起７５の垂直係止面７５ａが係止枠６７の下縁部に当接することにより、プロテクタカバー７０がプロテクタ本体６２に取り付けられるようになっている。
【０００５】
プロテクタ本体６２の両側壁６４，６４と底壁６３との交差部６５，６５には、複数の三角形状の倒れ込み防止リブ６６がプロテクタ本体６２と一体に成形されている。この倒れ込み防止リブ６６は、射出成形後のプロテクタ本体６２の収縮による側壁６４，６４の内側への倒れ込みを防止するための補強部材である。
【０００６】
倒れ込み防止リブ６６をプロテクタ本体６２の外側に設け、側壁６４の倒れ込みを防止することで、ワイヤーハーネスの挿通作業性が向上し、また、倒れ込み防止リブ６６を底壁６３の両側に突設することで、プロテクタ本体６２の載置安定性が向上するようになっている。
【０００７】
【特許文献１】
特開平５−１５４８７９号公報（第２頁、第１図）
【０００８】
【発明が解決しようとする課題】
しかしながら、前記従来のハーネスプロテクタ６０では、解決すべき以下の問題点がある。
【０００９】
一つには、倒れ込み防止リブ６６により側壁６４の根元側が強化されるものの、側壁６４の倒れを防止するには不十分であり、成形後の収縮や外力の作用によって側壁６４に撓みが生じる心配がある。殊に、側壁６４が薄肉の場合や、側壁６４が高背の場合には撓みが生じることがある。
【００１０】
側壁６４が撓むと、側壁６４に設けた係止枠６７と、プロテクタカバー７０の縁壁７２に設けた係止突起７５とが対向して位置しなくなり、プロテクタカバー７０をプロテクタ本体６２に重ねただけでは係止突起７５が係止枠６７に挿入せず、プロテクタカバー７０を簡単に取り付けることができなくなることがある。また、撓んだ側壁６４を幅方向外側に広げるに際し、作業者は少なくとも一方の手を使わなければならないため、ワイヤハーネスが重たい場合に両方の手を使うことができなくなり、ワイヤハーネスの挿通作業性が悪くなる心配もある。
【００１１】
また一つに、倒れ込み防止リブ６６が側壁６４の外側に張り出しているため、空きスペースのないエンジンルーム内などにおいては倒れ込み防止リブ６６が他部品と干渉し、車両走行中の振動によって干渉音を発生することがある。
【００１２】
さらに、プロテクタカバー７０の係止片７３が係止枠６７に無理矢理挿入された際には、係止枠６７が塑性変形してしまい、係止枠６７から係止片７３が抜け出して、係止が外れる心配もある。
【００１３】
本発明は、上記した点に鑑み、プロテクタ本体の側壁の倒れを防止し、併せて係止枠の補強を図ることにより、ワイヤハーネスの挿通作業性及びプロテクタカバーの取付作業性を高めることができ、また係止の信頼性を向上することができるハーネスプロテクタを提供することを目的とする。
【００１４】
【課題を解決するための手段】
上記目的を達成するために、請求項１記載の発明は、底壁と両側の側壁とでなす空間にワイヤハーネスを挿通させるプロテクタ本体と、該プロテクタ本体に合体するプロテクタカバーとを備え、該プロテクタ本体の側壁に係止用の係止受部を有し、該プロテクタカバーの端部に該係止受部と係合する差込片を有するハーネスプロテクタにおいて、前記プロテクタ本体の側壁に、前記底壁と該側壁の交差部から該側壁の立ち上がる方向に延在し、かつ前記係止受部に連なる側壁補強リブが設けられたことを特徴とする。
【００１５】
上記構成によれば、プロテクタ本体とプロテクタカバーとが合体することで、車体に沿って配索されるワイヤハーネスが外部干渉などから保護されて、電気的接続の信頼性が維持される。プロテクタ本体とプロテクタカバーとは、係止受部に差込片が差し込まれることで係止され、プロテクタ本体に挿通されたワイヤハーネスの抜け出しが防止される。
【００１６】
そして、側壁には側壁補強リブが設けられているから、側壁の根元側が強くなるとともに、側壁の断面二次モーメントが大きくなり曲げ剛性が高まる。側壁補強リブにより、係止受部も同時に補強され、係止受部の変形が防止される。
【００１７】
また、請求項２記載の発明は、請求項１記載のハーネスプロテクタにおいて、前記係止受部が、一対の脚部と、該一対の脚部を繋ぐ係止部とにより枠状に形成されていて、前記側壁補強リブが、該一対の脚部の一方又は双方の延長部とされたことを特徴とする。
【００１８】
上記構成によれば、脚部の曲がりや倒れなどの変形が防止され、係止受部から差込片が不用意に抜け出さず、係止の信頼性が向上し、ワイヤハーネスがプロテクタ本体とプロテクタカバーとで保護される。
【００１９】
また、請求項３記載の発明は、請求項１又は２記載のハーネスプロテクタにおいて、前記側壁補強リブが、前記プロテクタ本体の側壁に突設された車体取付部に連なっていることを特徴とする。
【００２０】
上記構成によれば、プロテクタ本体の側壁の根元側が強くなり、側壁の倒れが有効に防止される。また、車体取付部が側壁補強リブによって強化され、その変形が防止される。
【００２１】
【発明の実施の形態】
以下に本発明の実施の形態の具体例を図面を用いて詳細に説明する。
図１〜４は、本発明に係るハーネスプロテクタの一実施形態を示すものである。
【００２２】
図示するように、本発明のハーネスプロテクタ１０は、プロテクタ本体１２と、プロテクタ本体１２に合体して上部開口を閉止するプロテクタカバー４３とから構成されている。
【００２３】
プロテクタ本体１２は、底壁１４と、底壁１４の両側から同方向に立ち上がる一対の側壁１５，１６とを備えている。一側の側壁１６には、車体取付部３０が突設されている。車体取付部３０は、平板状をなし、側壁１６と底壁１４の交差部１８から側壁１６の外側に突出している。
【００２４】
車体取付部３０に近接する位置の側壁１６には、係止枠２４が突設されている。この係止枠２４は、側壁１６から垂直に突設された一対の脚部２４ａ，２４ａと、一対の脚部２４ａ，２４ａを連ねる係止部２４ｂとからなっている。一対の脚部２４ａ，２４ａには、側壁補強リブ３５が連続形成されている。
【００２５】
側壁補強リブ３５が、プロテクタ本体１２の底壁１４と側壁１６の交差部１８から側壁１６の立ち上がる方向に延在して、係止枠２４の脚部２４ａの延長部になっていることが本発明の特徴である。
【００２６】
側壁補強リブ３５が、脚部２４ａに連続して形成されることで、プロテクタ本体１２の側壁１６と係止枠２４の脚部２４ａの強度アップが同時に図られている。すなわち、ワイヤハーネス５２の長手方向に平行な軸に関する側壁１６の断面２次モーメントが大きくなり、曲げ剛性が向上することにより側壁１６の幅方向内側への倒れが防止され、また、脚部２４ａが延長されることにより、脚部２４ａの曲がりやねじりが防止されている。
【００２７】
これにより、プロテクタ本体１２にワイヤハーネス５２を挿通させる際に、側壁１５，１６の倒れを矯正しながら、ワイヤハーネス５２を挿通させる必要がなくなり、ワイヤハーネス５２の挿通作業性が向上する。また、プロテクタ本体１２の係止枠２４と、プロテクタカバー４３の差込片４８が対向して位置するから、プロテクタカバー４３を容易に取り付けることができる。係止枠２４は、その変形が防止されることで、係止枠２４から差込片４８が不用意に抜け出さず、係止の信頼性が向上する。
【００２８】
側壁補強リブ３５が、側壁１６に突設された車体取付部３０に連結されていることも本発明の特徴である。側壁補強リブ３５は、車体取付部３０と側壁１６の隅部に連結されているため、側壁１６の根元側の強度が向上し、側壁１６の倒れが有効に防止されるようになっている。
【００２９】
車体取付部３０は、両側の支持アーム３１，３２により側壁１６に持着されているが、車体取付部３０に側壁補強リブ３５を連ねることで、車体取付部３０の強度が高まり、車体に対するハーネスプロテクタ１０の搭載安定性が高まるようになっている。
【００３０】
プロテクタカバー４３は、プロテクタ本体１２の上部開口に対応した形状に成形されており、ヒンジ部５０で連結された固定カバー４６と開閉カバー４７とからなっている。固定カバー４６及び開閉カバー４７の縁壁４５には、プロテクタ本体１２の係止枠２４に対応して位置する差込片４８が垂設されている。
【００３１】
開閉カバー４７は、ヒンジ部５０を支点として開閉自在になっているため、ワイヤハーネス５２の挿通された図示しないコルゲートチューブの装着性が向上されている。
【００３２】
なお、側壁補強リブ３５は両方の脚部２４ａ，２４ａに形成してもよく、片方の脚部２４ａに形成してもよい。両方の脚部２４ａ，２４ａに形成した場合は、ねじり剛性が向上する効果がある。また、側壁補強リブ３５の形状は、限定するものではないが、本実施形態のように直角三角形状に形成することにより、側壁１６の根元側がより強くなっている。
【００３３】
【発明の効果】
以上の如く、請求項１記載の発明によれば、プロテクタ本体の側壁には側壁補強リブが設けられているから、側壁の根元側が強くなるとともに、電線の長手方向に平行な軸に関する側壁の断面二次モーメントが大きくなり、曲げ剛性が高まって、側壁の幅方向内側への倒れが防止される。また、側壁補強リブは係止受部に連なっているから、係止受部も同時に補強され、係止受部の変形が防止される。従って、ワイヤハーネスの挿通作業性及びプロテクタカバーの取付作業性が向上するとともに、係止受部と差込片の係止の信頼性が向上する。
【００３４】
また、請求項２記載の発明によれば、側壁補強リブの一側が係止受部の脚部に連なっているから、脚部の曲がりやねじれが防止され、係止受部から差込片が抜け出すことが防止される。従って、係止の信頼性が向上して、ワイヤハーネスが外部干渉などから保護される。
【００３５】
また、請求項３記載の発明によれば、側壁補強リブが車体取付部に連なっているから、プロテクタ本体の側壁の根元側が強くなり、側壁の倒れが有効に防止される。また、車体取付部が側壁補強リブによって強化され、その変形が防止される。従って、請求項１記載の効果が一層高まることに加えて、ハーネスプロテクタの車体搭載安定性が向上する。
【図面の簡単な説明】
【図１】本発明に係るハーネスプロテクタの分解斜視図である。
【図２】図１に示すハーネスプロテクタを組立斜視図である。
【図３】図２に示すハーネスプロテクタの平面図である。
【図４】図２に示すハーネスプロテクタの正面図である。
【図５】従来のハーネスプロテクタの一例を示す斜視図である。
【符号の説明】
１０　　　　　　ハーネスプロテクタ
１２　　　　　　プロテクタ本体
１４　　　　　　底壁
１５，１６　　　側壁
１８　　　　　　交差部
２４　　　　　　係止枠（係止受部）
２４ａ　　　　　脚部
２４ｂ　　　　　係止部
３５　　　　　　側壁補強リブ
４３　　　　　　プロテクタカバー
４８　　　　　　差込片
５２　　　　　　ワイヤハーネス
【図１】
2004135451.tif 000003
【図２】
2004135451.tif 000004
【図３】
2004135451.tif 000005
【図４】
2004135451.tif 000006
【図５】
2004135451.tif 000007